(57)【要約】【課題】設置されている受信設備による放送波の受信環境を分かりやすく提示すること。【解決手段】受信装置は、放送波の種類ごとの受信状態に関する情報を取得する取得部と、取得部が取得した放送波の種類ごとの受信状態に関する情報と、放送波の種類ごとの受信に必要な受信設備に関する情報とに基づいて、接続されている受信設備の対応状況に関する情報を提示する提示部と、を備える。【選択図】図１
2020025187.tif 000002
【特許請求の範囲】
【請求項１】
放送波の種類ごとの受信状態に関する情報を取得する取得部と、
前記取得部が取得した放送波の種類ごとの受信状態に関する情報と、放送波の種類ごとの受信に必要な受信設備に関する情報とに基づいて、接続されている受信設備の対応状況に関する情報を提示する提示部と、
を備える受信装置。
【請求項２】
前記提示部は、
受信設備の対応状況に関する情報として、受信設備が放送波の受信に対応しているか否かを示す情報を提示する、
請求項１に記載の受信装置。
【請求項３】
前記提示部は、
受信設備が対応していない放送波の種類がある場合、当該放送波を受信可能にするための情報を、受信設備の対応状況に関する情報として提示する、
請求項１または請求項２に記載の受信装置。
【請求項４】
前記提示部が提示する受信設備の対応状況には、アンテナの対応状況またはアンテナから前記受信装置までの配線設備の対応状況が含まれる、
請求項１から請求項３のいずれか一項に記載の受信装置。
【請求項５】
前記放送波の種類には、衛星放送における衛星の種類、放送波の偏波の種類、または放送波の周波数帯域の種類が含まれる、
請求項１から請求項４のいずれか一項に記載の受信装置。
【請求項６】
前記取得部は、
放送波の種類ごとの受信状態に関する情報として、放送波に含まれるチャンネル情報を取得する、
請求項１から請求項５のいずれか一項に記載の受信装置。
【請求項７】
前記提示部は、
放送波の種類ごとに、少なくとも一部のチャンネルのチャンネル情報を取得できた種類の放送波を受信可能な状態と判定し、受信可能な状態と判定した放送波の種類において、全てのチャンネルのチャンネル情報を取得できた場合と、一部のチャンネルのチャンネル情報を取得できなかった場合とで提示内容を異ならせる、
請求項６に記載の受信装置。
【請求項８】
前記提示部は、
受信可能な状態と判定した放送波の種類において、一部のチャンネルのチャンネル情報を取得できなかった場合には、当該一部のチャンネルの放送波を受信可能にするための情報を、受信設備の対応状況に関する情報として提示する、
請求項７に記載の受信装置。
【請求項９】
受信装置における制御方法であって、
取得部が、放送波の種類ごとの受信状態に関する情報を取得するステップと、
提示部が、前記取得部が取得した放送波の種類ごとの受信状態に関する情報と、放送波の種類ごとの受信に必要な受信設備に関する情報とに基づいて、接続されている受信設備の対応状況に関する情報を提示するステップと、
を有する制御方法。
【請求項１０】
コンピュータに、
放送波の種類ごとの受信状態に関する情報を取得するステップと、
前記取得した放送波の種類ごとの受信状態に関する情報と、放送波の種類ごとの受信に必要な受信設備に関する情報とに基づいて、接続されている受信設備の対応状況に関する情報を提示するステップと、
を実行させるためのプログラム。
【発明の詳細な説明】
【技術分野】
【０００１】
本発明は、受信装置、制御方法、及びプログラムに関する。
【背景技術】
【０００２】
１９８９年にＢＳアナログ放送の本放送が開始されて以来、２０００年にＢＳデジタル放送、２００２年に１１０度ＣＳデジタル放送の本放送が開始され、一般家庭で容易に衛星放送が視聴可能となってきた。この推移に伴い、受信に必要なパラボラアンテナや配線設備（ブースター、分配器、分波器、配線ケーブルなど）などの受信設備においても変化が見られ、５Ｃ−２Ｖ、５Ｃ−ＦＶ、５Ｃ−ＦＢ、Ｓ−５Ｃ−ＦＢなど数値や記号によって、対応周波数とケーブル特性が表記されるようになってきた。５Ｃ−２Ｖ及び５Ｃ−ＦＶは、主にアナログテレビが主流だった頃のものである。また、地上デジタル放送及びＢＳアナログ放送のみであれば５Ｃ−ＦＢの設備でよいが、地上デジタル放送及び従来からのＢＳ／ＣＳデジタル放送を視聴する場合にはＳ−５Ｃ−ＦＢの設備が必要であり、これらの設備は各家庭によって異なっている。これに加えて、２０１８年に放送開始が予定されている新４Ｋ８Ｋ衛星放送のＢＳ／ＣＳデジタル放送を視聴する場合には、通常なら３２２４ＭＨｚまで対応可能なＳＨマーク付きの配線ケーブルと左旋対応のパラボラアンテナが必要となる。
【０００３】
各家庭においては、パラボラアンテナに配線設備などの受信設備を介して接続されている受信装置（例えば、テレビ）では、設置した際の初期設定などでチャンネルサーチを行うことにより、各家庭で受信可能（視聴可能）なチャンネルを設定することができる（例えば、特許文献１）。
【先行技術文献】
【特許文献】
【０００４】
【特許文献１】特開２００２−３３５４５８号公報
【発明の概要】
【発明が解決しようとする課題】
【０００５】
しかしながら、各家庭に衛星放送用の配線が設置されてから、新４Ｋ８Ｋ衛星放送を視聴するまでの経過年数はさまざまであり、設置されているパラボラアンテナやブースター、配線ケーブルの種類や経年劣化においても千差万別である。そのため、新４Ｋ８Ｋ衛星放送対応の受信装置を購入したユーザが、自宅で新４Ｋ８Ｋ衛星放送を視聴可能であるか否か、視聴不可だった場合には何をすれば視聴可能になるのかなどを容易に判断する事が困難である。例えば、従来はパラボラアンテナや配線ケーブルなどの屋内配線の良し悪しを調べるためにはトラッキングジェネレータ付きのスペクトラムアナライザをなど用いる場合が殆どであり、一般的ではなかった。
【０００６】
本発明は上記の点に鑑みてなされたものであり、設置されている受信設備による放送波の受信環境を分かりやすく提示することができる受信装置、制御方法、及びプログラムを提供することを課題とする。
【課題を解決するための手段】
【０００７】
本発明は上記の課題を解決するためになされたものであり、本発明の一態様は、放送波の種類ごとの受信状態に関する情報を取得する取得部と、前記取得部が取得した放送波の種類ごとの受信状態に関する情報と、放送波の種類ごとの受信に必要な受信設備に関する情報とに基づいて、接続されている受信設備の対応状況に関する情報を提示する提示部と、を備える受信装置である。
【０００８】
また、本発明の一態様は、受信装置における制御方法であって、取得部が、放送波の種類ごとの受信状態に関する情報を取得するステップと、提示部が、前記取得部が取得した放送波の種類ごとの受信状態に関する情報と、放送波の種類ごとの受信に必要な受信設備に関する情報とに基づいて、接続されている受信設備の対応状況に関する情報を提示するステップと、を有する制御方法である。
【０００９】
また、本発明の一態様は、コンピュータに、放送波の種類ごとの受信状態に関する情報を取得するステップと、前記取得した放送波の種類ごとの受信状態に関する情報と、放送波の種類ごとの受信に必要な受信設備に関する情報とに基づいて、接続されている受信設備の対応状況に関する情報を提示するステップと、を実行させるためのプログラムである。
【発明の効果】
【００１０】
本発明によれば、設置されている受信設備による放送波の受信環境を分かりやすく提示することができる。
【図面の簡単な説明】
【００１１】
【図１】第１の実施形態に係る受信システムの構成の一例を示す図。
【図２】第１の実施形態に係る受信装置の構成の一例を示すブロック図。
【図３】受信装置における初期設定処理の一例を示すフローチャート。
【図４】衛星放送のチャンネルサーチ結果を示す設定画面の第１の表示例を示す図。
【図５】衛星放送のチャンネルサーチ結果を示す設定画面の第２の表示例を示す図。
【図６】衛星放送のチャンネルサーチ結果を示す設定画面の第３の表示例を示す図。
【図７】衛星放送のチャンネルサーチ結果を示す設定画面の第３の表示例を示す図。
【図８】第１の実施形態に係る受信設備の対応状況表示処理の一例を示すフローチャート。
【図９】第１の実施形態に係る新４Ｋ８Ｋ衛星放送の受信設備の対応状況表示処理の一例を示すフローチャート。
【図１０】第２の実施形態に係る新４Ｋ８Ｋ衛星放送の受信設備の対応状況表示処理の一例を示すフローチャート。
【図１１】第３の実施形態に係る受信設備の対応状況に関する情報の第１の表示例を示す図。
【図１２】第３の実施形態に係る受信設備の対応状況に関する情報の第２の表示例を示す図。
【図１３】第３の実施形態に係る受信設備の対応状況に関する情報の第３の表示例を示す図。
【図１４】第３の実施形態に係る受信設備の対応状況に関する情報の第４の表示例を示す図。
【図１５】第３の実施形態に係る受信設備の対応状況に関する情報の第５の表示例を示す図。
【図１６】第３の実施形態に係る受信設備の対応状況に関する情報の第６の表示例を示す図。
【発明を実施するための形態】
【００１２】
以下、図面を参照して、本発明の実施形態について説明する。なお、各図において同一部分には同一符号を付している。
【００１３】
［第１の実施形態］
図１は、本実施形態に係る受信システムの構成の一例を示す図である。図示する受信システム１は、少なくとも衛星放送を受信可能（視聴可能）なシステムであり、衛星放送を受信するための受信設備として、パラボラアンテナ１０と、配線設備２０と、受信装置１００とを備えている。例えば、パラボラアンテナ１０は、一戸建て住宅の屋根に設置されている。配線設備２０は、パラボラアンテナ１０から１００受信装置までの間に設けられたブースター２１、分配器２２、配線ケーブル２３などである。なお、配線設備２０には、混合器や分波器などが含まれてもよい。パラボラアンテナ１０で受信された衛星放送の放送波の受信信号は、配線設備２０を介して各部屋のアンテナ端子に分配される。各部屋に分配された受信信号は、各部屋のアンテナ端子と受信装置１００と接続したアンテナ線を介して受信装置１００に供給される。
【００１４】
なお、図示する例では、一戸建て住宅における設置例を示しているが、設置される場所は集合住宅や店舗、工場、オフィスビル等、どのような施設であってもよい。また、パラボラアンテナ１０は、当該施設（ここでは、一戸建て住宅の屋根）に設置されてもよいし、当該施設とは別の場所（例えば、有線ケーブルなどを用いて衛星放送を提供する事業者が設置している場所）に設置されていてもよい。また、受信システム１は、衛星放送以外の放送（例えば、地上デジタル放送）用のアンテナが備えられていてもよく、衛星放送の受信信号と共に各部屋に分配されてもよい。
【００１５】
図２は、本実施形態に係る受信装置の構成の一例を示すブロック図である。図示する受信装置１００は、例えばテレビ（テレビジョン）であり、チューナ部１１０と、信号処理部１２０と、ＢＣＡＳ１３０と、ＡＣＡＳ１３１と、表示部１４０と、スピーカ１５０と、記憶部１６０と、リモコン受光部１７０と、制御部１８０とを備えている。
【００１６】
チューナ部１１０は、チューナ１１１と、デモジュレータ１１２とを備えている。チューナ１１１には、地上デジタル放送、従来からのＢＳデジタル放送及び１１０度ＣＳデジタル放送（以下、「既存ＢＳ／ＣＳデジタル放送」という）、新４Ｋ８Ｋ衛星放送（高度広帯域衛星デジタル放送）のＢＳ／ＣＳデジタル放送（以下、「新４Ｋ８Ｋ衛星放送」という）等の放送波（受信信号）の受信信号がアンテナ線を介して供給される。なお、既存ＢＳ／ＣＳデジタル放送の放送波は右旋円偏波であるが、新４Ｋ８Ｋ衛星放送の放送波には左旋円偏波が含まれる。そのため、パラボラアンテナ１０は、右旋円偏波のみに対応している場合には、新４Ｋ８Ｋ衛星放送の放送波を一部しか受信することができない。パラボラアンテナ１０が右旋円偏波と左旋円偏波の両方に対応している場合、既存ＢＳ／ＣＳデジタル放送と新４Ｋ８Ｋ衛星放送との両方の放送波の受信が可能である。
【００１７】
チューナ１１１は、制御部１８０の制御により、ユーザによって選択されたチャンネルの放送波を選択し、選択した放送波の受信信号をデモジュレータ１１２に供給する。デモジュレータ１１２は、受信信号を復調し、ＭＰＥＧ−２  ＴＳ（Ｔｒａｎｓｐｏｒｔ  Ｓｔｒｅａｍ）方式の放送波の場合にはＴＳを信号処理部１２０へ供給し、ＭＭＴ（ＭＰＥＧ  Ｍｅｄｉａ  Ｔｒａｎｓｐｏｒｔ）−ＴＬＶ（Ｔｙｐｅ  Ｌｅｎｇｔｈ  Ｖａｌｕｅ）方式の放送波の場合にはＴＬＶを信号処理部１２０へ供給する。
【００１８】
信号処理部１２０は、ＴＳデマルチプレクサ１２１と、ＴＬＶデマルチプレクサ１２２と，ＭＭＴデマルチプレクサ１２３と、ＡＣＡＳデスクランブル１２４と、付加情報処理部１２５と、ＡＶデコーダ１２６と、映像処理部１２７と、オーディオ処理部１２８とを備えている。
【００１９】
デモジュレータ１１２から信号処理部１２０に供給されたＴＳは、ＴＳデマルチプレクサ１２１で、映像データ、音声データ、及びチャンネル情報などの付加情報に分離され、映像データ及び音声データがＡＶデコーダ１２６へ、付加情報が付加情報処理部１２５へ供給される。
【００２０】
また、デモジュレータ１１２から信号処理部１２０に供給されたＴＬＶは、ＴＬＶデマルチプレクサ１２２及びＭＭＴデマルチプレクサ１２３で、映像データ、音声データ、及びチャンネル情報などの付加情報に分離され、映像データ及び音声データがＡＣＡＳデスクランブル１２４へ、付加情報が付加情報処理部１２５へ供給される。ＡＣＡＳデスクランブル１２４は、ＡＣＡＳ１３１で管理されている受信契約情報などに基づいて、スクランブルを解除した映像データ及び音声データをＡＶデコーダ１２６へ供給する。
【００２１】
付加情報処理部１２５は、供給された付加情報の一部または全部を制御部１８０へ必要に応じて供給するとともに、当該付加情報を含む表示情報を生成する。例えば、付加情報処理部１２５は、表示部１２にオンスクリーン表示させるためのチャンネル一覧や、ユーザが受信装置１００の各種設定などを設定画面など、各種の表示情報を、制御部１８０の制御に基づいて生成して映像処理部１２７する。なお、付加情報処理部１２５は、ブラウザ機能を用いて付加情報を含む表示情報を表示させてもよい。
【００２２】
ＡＶデコーダ１２６は、供給された映像データをＭＰＥＧ復調して映像処理部１２７へ供給する。また、ＡＶデコーダ１２６は、供給された音声データをＭＰＥＧ復調してオーディオ処理部１２８へ供給する。
【００２３】
映像処理部１２７は、ＡＶデコーダ１２６から供給された映像データに基づいて、表示部１４０に表示させるための映像信号を生成して表示部１４０に供給する。表示部１４０は、例えば、液晶ディスプレイパネル、有機ＥＬ（ＥｌｅｃｔｒｏＬｕｍｉｎｅｓｃｅｎｃｅ）ディスプレイパネルなどを含んで構成されている。これにより、選択されたチャンネルの映像が表示部１４０に表示される。また、映像処理部１２７は、付加情報処理部１２５から供給されたチャンネル一覧や設定画面などの各種の表示情報を表示部１４０にオンスクリーン表示させる。なお、映像処理部１２７は、オンスクリーン表示させる場合、映像に重畳させて表示させてもよいし、映像に切り替えて表示させてもよい。
【００２４】
オーディオ処理部１２８は、ＡＶデコーダ１２６から供給された音声データに基づく音声信号を所定の振幅（所定の音量）に増幅してスピーカ１５０に供給する。これにより、選択されたチャンネルの音声がスピーカ１５０から出力される。所定の音量とは、ユーザの操作により設定された音量である。なお、オーディオ処理部１２８は、操作方法や告知情報などを案内するための各種の音声をスピーカ１５０から出力させてもよい。
【００２５】
ＢＣＡＳ１３０は、地上デジタル放送及び既存ＢＳ／ＣＳデジタル放送の限定受信方式であるＢ−ＣＡＳ方式の放送を受信可能にするためのＩＤ番号や暗号鍵が格納されたＢ−ＣＡＳカードが挿入されることにより、当該Ｂ−ＣＡＳカードのＩＤ番号を用いて登録された受信契約情報を放送局などの放送事業者ごとに管理する。
【００２６】
ＡＣＡＳ１３１は、新４Ｋ８Ｋ衛星放送の限定受信方式であるＡＣＡＳ方式の放送を受信可能にするためのＩＤ番号や暗号鍵が格納されたＬＳＩチップが搭載されており、当該ＩＤ番号を用いて登録された受信契約情報を放送局などの放送事業者ごとに管理する。
【００２７】
記憶部１６０は、例えば、ＨＤＤ（Ｈａｒｄ  Ｄｉｓｋ  Ｄｒｉｖｅ）やＳＳＤ（Ｓｏｌｉｄ  Ｓｔａｔｅ  Ｄｒｉｖｅ）、ＥＥＰＲＯＭ（Ｅｌｅｃｔｒｉｃａｌｌｙ  Ｅｒａｓａｂｌｅ  Ｐｒｏｇｒａｍｍａｂｌｅ  Ｒｅａｄ-Ｏｎｌｙ  Ｍｅｍｏｒｙ）、ＲＯＭ（Ｒｅａｄ-Ｏｎｌｙ  Ｍｅｍｏｒｙ）、ＲＡＭ（Ｒａｎｄｏｍ  Ａｃｃｅｓｓ  Ｍｅｍｏｒｙ）などを含み、受信装置１００での各種設定を行う設定画面に必要な情報や画像、プログラム等を記憶する。なお、記憶部１６０は、受信装置１００に内蔵されるものに限らず、ＵＳＢ等のデジタル入出力ポート等によって接続された外付け型の記憶装置でもよい。
【００２８】
リモコン受光部１７０は、受信装置１００を遠隔操作するためのリモコン（リモートコントローラ）から送信された赤外線による操作信号を受光し、受講した操作信号を制御部１８０へ供給する。例えば、リモコン受光部１７０は、ユーザがリモコンを操作することにより選択されたチャンネルを示す操作信号や、設定画面を表示させることを示す操作信号、設定画面に対する操作を示す操作信号などを取得して制御部１８０へ供給する。なお、受信装置１００を遠隔操作するためのリモコンは、赤外線を用いた方式によるものに限らず、他の方式（例えば、Ｂｌｕｅｔｏｏｔｈ（登録商標）を用いた方式）によるものであってもよい。
【００２９】
制御部１８０は、例えば、ＣＰＵ（Ｃｅｎｔｒａｌ  Ｐｒｏｃｅｓｓｉｎｇ  Ｕｎｉｔ）を含んで構成され、受信装置１００が備える各部を制御する。例えば、制御部１８０は、ユーザがリモコンを操作することにより選択されたチャンネルを示す操作信号をリモコン受光部１７０を介して取得すると、取得したチャンネルを示す情報をチューナ部１１０へ供給する。これにより、チューナ部１１０は、ユーザによって選択されたチャンネルの放送波を選択し、選択した受信信号を復調する。また、制御部１８０は、ユーザがリモコンを操作することにより、各種設定が選択されたことを示す操作信号をリモコン受光部１７０を介して取得すると、対応する設定画面などを表示部１４０に表示させ、設定画面に対する操作に応じて各種の設定処理（例えば、設置の際の初期設定処理）や、その処理に伴う設定画面の遷移処理などを実行する。
【００３０】
図３は、受信装置１００における初期設定処理の一例を示すフローチャートである。図示する初期設定処理は、受信装置１００を設置したときにテレビ放送を視聴を可能な状態に設定する初期設定の流れの一例を示している。この図を参照して、受信装置１００における初期設定の流れを説明する。例えば、制御部１８０は、ユーザのリモコン操作により、設定メニューの中から「初期設定」が選択されることにより初期設定を開始し、各種の設定処理の順に従って、各設定処理に対応する設定画面を表示部１４０に表示させる。
【００３１】
（ステップＳ１０）制御部１８０は、ＢＣＡＳ１３０の管理情報を参照して、Ｂ−ＣＡＳカードが挿入されているか否かを確認する。そして、制御部１８０は、Ｂ−ＣＡＳカードが挿入されていることが確認できた場合、その旨を示す通知情報を設定画面に表示させ、ステップＳ２０の処理に進む。なお、制御部１８０は、Ｂ−ＣＡＳカードが挿入されていることが確認できなかった場合には、その旨を示す通知情報や、Ｂ−ＣＡＳカードの挿入を促す情報などを設定画面に表示させてもよい。
【００３２】
（ステップＳ２０）制御部１８０は、アンテナ線を受信装置１００に接続したか否かをユーザに確認する。例えば、制御部１８０は、アンテナ線を接続したか否かを問い合わせる情報（例えば、「アンテナ線は接続しましたか？  接続していない場合、一旦電源を切り、取扱説明書に従って正しく接続してください。」）と、アンテナ線を接続している場合に操作する「確認」ボタンとを設定画面に表示させる。そして、ユーザのリモコン操作により「確認」ボタンに操作がされた場合、ステップＳ３０の処理に進む。
【００３３】
（ステップＳ３０）制御部１８０は、受信装置１００が設置される地域（お住いの地域）の設定を行う。例えば、制御部１８０は、選択可能な地域の選択肢（例えば、「県」の選択肢）を設定画面に表示させ、ユーザのリモコン操作により選択された地域を設定する。この地域設定を行うことにより、後で実行されるチャンネルサーチにより受信可能と判定されたチャンネルが、地域に合ったリモコンの数字ボタンに割り当てられる。地域設定が終了すると、ステップＳ４０の処理に進む。
【００３４】
（ステップＳ４０）制御部１８０は、受信装置１００が設置される地域（お住いの地域）の郵便番号の設定を行う。例えば、制御部１８０は、郵便番号を入力可能な設定画面を表示させ、ユーザのリモコン操作により入力された郵便番号を設定する。郵便番号の設定が終了すると、ステップＳ５０の処理に進む。
【００３５】
（ステップＳ５０）制御部１８０は、地上デジタル放送のチャンネルサーチを実行する。例えば、制御部１８０は、地上デジタル放送の複数のチャンネルの放送波を順次サーチして、受信電波からチャンネル情報を取得できた放送波を受信可能（選局可能）なチャンネルとして、地域設定に合わせたリモコンの数字ボタンに割り当てる。そして、ステップＳ６０の処理に進む。
【００３６】
（ステップＳ６０）制御部１８０は、ＢＳ／ＣＳアンテナ設定を行う。例えば、制御部１８０は、既存ＢＳデジタル放送のうちのいずれか一つのチャンネル（代表チャンネル）の受信電波、及び既存ＣＳデジタル放送のうちのいずれか二つのチャンネル（代表チャンネル）の受信電波からチャンネル情報を取得する。制御部１８０は、各チャンネルの受信電波からチャンネル情報を取得できた場合、受信状態に問題が無い（既存ＢＳ／ＣＳデジタル放送の全てチャンネルが選局可能な状態である）と判定し、ＢＳ／ＣＳアンテナ設定を完了する。そして、ステップＳ７０の処理に進む。
【００３７】
（ステップＳ７０）制御部１８０は、新４Ｋ８Ｋ衛星放送のチャンネルサーチを実行する。例えば、制御部１８０は、新４Ｋ８Ｋ衛星放送の複数のチャンネルの放送波を順次サーチして、受信電波からチャンネル情報を取得できた放送波を受信可能（選局可能）なチャンネルとして、地域設定に合わせたリモコンの数字ボタンに割り当てる。そして、ステップＳ８０の処理に進む。
【００３８】
（ステップＳ８０）制御部１８０は、衛星放送（既存ＢＳ／ＣＳデジタル放送及び新４Ｋ８Ｋ衛星放送）の受信状態（例えば、各チャンネルが選局可能であるか否かを示す選局状態（チャンネルサーチ結果））を設定画面に表示させる。また、制御部１８０は、チャンネルサーチのサーチ結果に基づいて受信設備の対応状況に関する情報も表示させる。受信設備の対応状況とは、パラボラアンテナ１０や配線設備２０が新４Ｋ８Ｋ衛星放送の受信に対応しているか否か、或いは対応していない場合の対処方法（パラボラアンテナ１０や配線設備２０変更の必要性など）などである。この受信設備の対応状況を表示させる処理（受信設備の対応状況表示処理）について詳しくは後述する。ユーザが衛星放送の受信状態（選局状態）及び受信設備の対応状況を確認した後、ステップＳ９０の処理に進む。
【００３９】
（ステップＳ９０）制御部１８０は、ステップＳ１０〜Ｓ８０で設定された設定内容の一覧を設定画面に表示させる。ユーザが設定内容を確認し、完了ボタンに対して操作がされると、制御部１８０は、当該操作信号に応じて、初期設定処理を終了させる。なお、ユーザが設定内容を修正した場合には、修正したい設定項目に対して操作を行うことにより、制御部１８０は、当該設定項目の設定画面の処理に遷移させる（戻す）。
【００４０】
（受信設備の対応状況表示処理について）
受信装置１００が新４Ｋ８Ｋ衛星放送に対応していたとしても、受信設備（パラボラアンテナ１０や配線設備２０等）が対応していないと、新４Ｋ８Ｋ衛星放送を視聴する受信環境は整っていないことになる。例えば、既存ＢＳ／ＣＳデジタル放送は、右旋円偏波のＢＳデジタル放送（以下、「ＢＳ右旋」という）と、右旋円偏波のＣＳデジタル放送（以下、「ＣＳ右旋」という）である。しかし、新４Ｋ８Ｋ衛星放送は、左旋円偏波のＢＳデジタル放送（以下、「ＢＳ左旋」という）と、左旋円偏波のＣＳデジタル放送（以下、「ＣＳ左旋」という）である。そのため、パラボラアンテナ１０が右旋円偏波のみに対応している場合には、既存ＢＳ／ＣＳデジタル放送の受信は可能であるが、新４Ｋ８Ｋ衛星放送の受信には対応していない。例えば、パラボラアンテナ１０が右旋円偏波と左旋円偏波の両方に対応している場合には、既存ＢＳ／ＣＳデジタル放送だけでなく、新４Ｋ８Ｋ衛星放送の受信も可能になる。
【００４１】
また、既存ＢＳ／ＣＳデジタル放送の放送波の周波数帯域よりも新４Ｋ８Ｋ衛星放送の放送波の周波数帯域の方が高帯域である。例えば、ＢＳ右旋の放送波の周波数帯域（〜１４８９ＭＨｚ）及びＣＳ右旋の放送波の周波数帯域（〜２０７１ＭＨｚ）に対して、ＢＳ左旋の周波数帯域は高帯域（〜２６９１ＭＨｚ）であり、ＣＳ左旋の放送波の周波数帯域はさらに高帯域（〜３２２４ＭＨｚ）である。そのため、パラボラアンテナ１０が左旋円偏波に対応していたとしても、配線設備２０の種類（例えば、配線ケーブルのケーブル特性）や経年劣化によっては、新４Ｋ８Ｋ衛星放送のうちの一部または全部の受信が不可能な状況もあり得る。
【００４２】
そこで、本実施形態に係る受信装置１００は、各放送波の受信状態に基づいて、受信装置１００に接続されている受信設備（パラボラアンテナ１０や配線設備２０）の対応状況に関する情報（新４Ｋ８Ｋ衛星放送の受信に対応しているか否か、或いは対応していない場合の対処方法など）を表示部１４０に表示することでユーザに提示する。
【００４３】
例えば図２に示すように、制御部１８０は、取得部１８１と、提示部１８２とを備えている。取得部１８１は、放送波の種類ごとの受信状態に関する情報を取得する。ここで、放送波の種類とは、衛星放送における衛星の種類（ＢＳ／ＣＳ）、放送波の偏波の種類（右旋円偏波／左旋円偏波）、または放送波の周波数帯域の種類などである。つまり、放送波の種類ごとの受信状態とは、例えば、ＢＳ右旋、ＣＳ右旋、ＢＳ左旋、及びＣＳ左旋のそれぞれの放送波の受信状態（例えば、各チャンネルが選局可能であるか否かを示す選局状態（チャンネルサーチ結果））である。例えば、取得部１８１は、ＢＳ右旋、ＣＳ右旋、ＢＳ左旋、及びＣＳ左旋のそれぞれの放送波の受信状態に関する情報として、ＢＳ右旋、ＣＳ右旋、ＢＳ左旋、及びＣＳ左旋のそれぞれの放送波から取得されたチャンネル情報を付加情報処理部１２５から取得する。チャンネル情報を取得できたチャンネルの放送波が受信可能（選局可能）な状態であり、チャンネル情報を取得できなかったチャンネルの放送波は受信不可能（選局不可能）な状態である。
【００４４】
提示部１８２は、取得部１８１が取得した放送波の種類ごとの受信状態と、放送波の種類ごとの受信に必要な受信設備に関する情報（例えば、パラボラアンテナ１０、配線設備２０に関する情報）とに基づいて、受信装置１００に接続されている受信設備の対応状況に関する情報を表示部１４０に表示させることによりユーザに提示する。例えば、提示部１８２は、受信設備の対応状況に関する情報として、受信設備が放送波の受信に対応しているか否かを示す情報を提示してもよい。また、提示部１８２は、受信設備が対応していない放送波の種類がある場合、当該放送波を受信可能にするための情報（対処方法など）を、受信設備の対応状況に関する情報として提示してもよい。
【００４５】
例えば、提示部１８２は、図３のステップＳ８０の処理において、衛星放送（既存ＢＳ／ＣＳデジタル放送及び新４Ｋ８Ｋ衛星放送）の受信状態（例えば、各チャンネルが選局可能であるか否かを示す選局状態（チャンネルサーチ結果））を示す設定画面に、受信設備の対応状況に関する情報を表示させる。以下に、提示部１８２が設定画面に表示させる内容の具体例を説明する。
【００４６】
（ＢＳ左旋及びＣＳ左旋の両方の放送波が受信可能な状態の表示例）
ＢＳ左旋及びＣＳ左旋の両方の放送波が受信可能な状態である場合、パラボラアンテナ１０及び配線設備２０のいずれも新４Ｋ８Ｋ衛星放送の受信に対応していると判断できる。この場合、提示部１８２は、ユーザの受信環境が新４Ｋ８Ｋ衛星放送の視聴に適しており、パラボラアンテナ１０及び配線設備２０のいずれも新４Ｋ８Ｋ衛星放送の受信に対応しており変更する必要が無い旨を、受信設備の対応状況に関する情報として、衛星放送のチャンネルサーチ結果を示す設定画面に表示させる。
【００４７】
図４は、衛星放送のチャンネルサーチ結果を示す設定画面の第１の表示例を示す図であり、ＢＳ右旋、ＣＳ右旋、ＢＳ左旋、及びＣＳ左旋の全ての放送波（既存ＢＳ／ＣＳデジタル放送及び新４Ｋ８Ｋ衛星放送の放送波）が受信可能な状態である場合の表示例を示している。図示する設定画面において、符号Ｇ１１に示す領域には、各放送波の種類ごとの受信状態に関する情報（チャンネルサーチ結果）が表示されている。具体的には、放送波の種類として、ＢＳ右旋（〜１４８９ＭＨｚ）、ＣＳ右旋（〜２０７１ＭＨｚ）、ＢＳ左旋（〜２６９１ＭＨｚ）、ＣＳ左旋（〜３２２４ＭＨｚ）の４種類について、それぞれのチャンネルと、チャンネルサーチ結果（選局状態）とが対応付けられて表示されている。ここでは、ＢＳ右旋、ＣＳ右旋、ＢＳ左旋、及びＣＳ左旋の全ての放送波が受信可能な状態であるため、全てのチャンネルの選局状態に「ＯＫ」が表示されている。
【００４８】
また、符号ＧＳ１２に示す領域には、受信設備に関する情報が表示されている。符号ＧＳ１２に示す領域のうち、符号ＧＳ１２１に示す領域には既存ＢＳ／ＣＳデジタル放送の受信に必要な受信設備に関する情報が、符号ＧＳ１２２に示す領域には既存ＢＳ／ＣＳデジタル放送の受信と新４Ｋ８Ｋ衛星放送のＢＳデジタル放送の受信に必要な受信設備に関する情報が、符号ＧＳ１２３に示す領域には既存ＢＳ／ＣＳデジタル放送の受信と新４Ｋ８Ｋ衛星放送のＢＳ／ＣＳデジタル放送の受信に必要な受信設備に関する情報が、それぞれ表示されている。
【００４９】
符号ＧＳ１２１に示す領域の既存ＢＳ／ＣＳデジタル放送の受信に必要な受信設備は、右旋専用のパラボラアンテナ（右旋専用アンテナ）と既存ＢＳ／ＣＳデジタル放送の受信に対応した配線設備（既存ＢＳ対応配線）とであり、ＢＳ右旋（〜１４８９ＭＨｚ）及びＣＳ右旋（〜２０７１ＭＨｚ）については受信可能である旨が表示され、ＢＳ左旋（〜２６９１ＭＨｚ）及びＣＳ左旋（〜３２２４ＭＨｚ）については受信不可である旨が表示されている。
【００５０】
符号ＧＳ１２２に示す領域の既存ＢＳ／ＣＳデジタル放送の受信と新４Ｋ８Ｋ衛星放送のＢＳデジタル放送の受信に必要な受信設備は、右旋及び左旋の両方に対応したパラボラアンテナ（新４Ｋ８Ｋ衛星放送対応アンテナ）と新４Ｋ８Ｋ衛星放送のＢＳデジタル放送の受信に対応した配線設備（２６９１ＭＨｚ対応配線）とであり、ＢＳ右旋（〜１４８９ＭＨｚ）、ＣＳ右旋（〜２０７１ＭＨｚ）、及びＢＳ左旋（〜２６９１ＭＨｚ）については受信可能である旨が表示され、ＣＳ左旋（〜３２２４ＭＨｚ）については受信不可である旨が表示されている。
【００５１】
符号ＧＳ１２３に示す領域の既存ＢＳ／ＣＳデジタル放送の受信と新４Ｋ８Ｋ衛星放送のＢＳ／ＣＳデジタル放送の受信に必要な受信設備は、右旋及び左旋の両方に対応したパラボラアンテナ（新４Ｋ８Ｋ衛星放送対応アンテナ）と新４Ｋ８Ｋ衛星放送のＣＳデジタル放送の受信に対応した配線設備（３２２４ＭＨｚ対応配線）とであり、ＢＳ右旋（〜１４８９ＭＨｚ）、ＣＳ右旋（〜２０７１ＭＨｚ）、ＢＳ左旋（〜２６９１ＭＨｚ）、及びＣＳ左旋（〜３２２４ＭＨｚ）の全てについて受信可能である旨が表示されている。
【００５２】
また、この図に示す例では、ＢＳ右旋、ＣＳ右旋、ＢＳ左旋、及びＣＳ左旋の全ての放送波（既存ＢＳ／ＣＳデジタル放送及び新４Ｋ８Ｋ衛星放送の放送波）が受信可能な状態であるため、ユーザの受信環境が符号ＧＳ１２３に示す領域の受信設備を備えた環境であることを示している。ここでは、符号ＧＳ１２３に示す領域にユーザの受信環境であることを示す情報（お客様の環境）が表示されている。また、符号ＧＳ１２３に示す領域を他の領域に対して強調表示させることで、ユーザの受信環境が容易に認識できるようにしている。例えば、符号ＧＳ１２３に示す領域をアクティブ表示させ、他の符号ＧＳ１２１及び符号ＧＳ１２２の領域を非アクティブ表示にさせたり、符号ＧＳ１２３に示す領域には他の符号ＧＳ１２１及び符号ＧＳ１２２の領域にはない周囲を囲む枠を表示させたりするなど、表示態様を異ならせる。
【００５３】
また、符号ＧＳ１３に示す領域には、ユーザの受信設備の対応状況に関する情報として、「お客様の環境は新４Ｋ８Ｋ衛星放送を視聴するのに適しています。」、「衛星放送用パラボラアンテナの変更は必要ありません。」、「衛星放送用配線ケーブルの変更は必要ありません。」などが表示される。なお、「衛星放送用配線ケーブル」とは、ここでは、配線設備２０の一部または全部を指す。
【００５４】
（ＢＳ左旋及びＣＳ左旋のいずれか一方の放送波が受信可能な状態の表示例）
ＢＳ左旋及びＣＳ左旋のいずれか一方の放送波が受信可能な状態である場合、新４Ｋ８Ｋ衛星放送の受信にパラボラアンテナ１０は対応しているが配線設備２０は対応していないと判断できる。この場合、提示部１８２は、例えば、ユーザの受信環境が新４Ｋ８Ｋ衛星放送のＢＳ放送までの視聴に適しており、新４Ｋ８Ｋ衛星放送のＣＳ放送を受信するためにはパラボラアンテナ１０の変更は必要ないが、配線設備２０を変更する必要がある旨を、受信設備の対応状況に関する情報として、衛星放送のチャンネルサーチ結果を示す設定画面に表示させる。
【００５５】
図５は、衛星放送のチャンネルサーチ結果を示す設定画面の第２の表示例を示す図であり、ＢＳ右旋、ＣＳ右旋、及びＢＳ左旋の放送波が受信可能な状態であって、ＣＳ左旋の放送波が受信不可能な状態である場合の表示例を示している。図示する設定画面の符号Ｇ１１に示す領域には、ＢＳ右旋、ＣＳ右旋、ＢＳ左旋のチャンネルの選局状態に「ＯＫ」が表示され、ＣＳ左旋のチャンネルの選局状態に「ＮＧ」が表示されている。また、この図に示す例では、ＢＳ右旋、ＣＳ右旋、ＢＳ左旋の放送波が受信可能な状態であって、ＣＳ左旋の放送波が受信不可能な状態であるため、ユーザの受信環境が符号ＧＳ１２２に示す領域の受信設備を備えた環境であることを示している。
【００５６】
また、符号ＧＳ１３に示す領域には、ユーザの受信設備の対応状況に関する情報として、「お客様の環境は新４Ｋ８Ｋ衛星放送のＢＳ放送までを視聴するのに適しています。」、「衛星放送用パラボラアンテナの変更は必要ありません。」、「新４Ｋ８Ｋ衛星放送のＣＳ放送を視聴するには、衛星放送用配線ケーブルを変更する必要があります。」などが表示される。
【００５７】
（ＢＳ左旋及びＣＳ左旋の両方の放送波が受信可能な状態の表示例）
ＢＳ左旋及びＣＳ左旋の両方の放送波が受信不可能な状態である場合、パラボラアンテナ１０及び配線設備２０のいずれも新４Ｋ８Ｋ衛星放送の受信に対応していないと判断できる。この場合、提示部１８２は、例えば、ユーザの受信環境が新４Ｋ８Ｋ衛星放送の視聴に適しておらず、新４Ｋ８Ｋ衛星放送を受信するためにはパラボラアンテナ１０及び配線設備２０を変更する必要がある旨を、受信設備の対応状況に関する情報として、衛星放送のチャンネルサーチ結果を示す設定画面に表示させる。
【００５８】
図６は、衛星放送のチャンネルサーチ結果を示す設定画面の第３の表示例を示す図であり、ＢＳ右旋及びＣＳ右旋の放送波が受信可能な状態であって、ＢＳ左旋及びＣＳ左旋の放送波が受信不可能な状態である場合の表示例を示している。図示する設定画面の符号Ｇ１１に示す領域には、ＢＳ右旋及びＣＳ右旋のチャンネルの選局状態に「ＯＫ」が表示され、ＢＳ左旋及びＣＳ左旋のチャンネルの選局状態に「ＮＧ」が表示されている。また、この図に示す例では、ＢＳ右旋及びＣＳ右旋の放送波が受信可能な状態であって、ＢＳ左旋及びＣＳ左旋の放送波が受信不可能な状態であるため、ユーザの受信環境が符号ＧＳ１２１に示す領域の受信設備を備えた環境であることを示している。
【００５９】
また、符号ＧＳ１３に示す領域には、ユーザの受信設備の対応状況に関する情報として、「お客様の環境は新４Ｋ８Ｋ衛星放送を視聴するのに適しておりません。」、「新４Ｋ８Ｋ衛星放送を視聴するには衛星放送用パラボラアンテナを変更する必要があります。」、「新４Ｋ８Ｋ衛星放送を視聴するには、衛星放送用配線ケーブルを変更する必要があります。」などが表示される。
【００６０】
（全ての衛星放送が受信不可能な状態の表示例）
ＢＳ右旋、ＣＳ右旋、ＢＳ左旋、及びＣＳ左旋の全ての放送波が受信不可能な状態である場合、ユーザの受信環境が既存ＢＳ／ＣＳデジタル放送及び新４Ｋ８Ｋ衛星放送のいずれも視聴するのに適しておらず、パラボラアンテナ１０及び配線設備２０接続の確認が必要であると判断できる。この場合、提示部１８２は、例えば、ユーザの受信環境が既存ＢＳ／ＣＳデジタル放送及び新４Ｋ８Ｋ衛星放送の視聴に適しておらず、パラボラアンテナ１０及び配線設備２０の接続を確認する必要がある旨を、受信設備の対応状況に関する情報として、衛星放送のチャンネルサーチ結果を示す設定画面に表示させる。
【００６１】
図７は、衛星放送のチャンネルサーチ結果を示す設定画面の第３の表示例を示す図であり、ＢＳ右旋、ＣＳ右旋、ＢＳ左旋、及びＣＳ左旋の全ての放送波が受信不可能な状態である場合の表示例を示している。図示する設定画面の符号Ｇ１１に示す領域には、ＢＳ右旋、ＣＳ右旋、ＢＳ左旋、及びＣＳ左旋の全てのチャンネルの選局状態に「ＮＧ」が表示されている。また、この図に示す例では、全ての衛星放送が受信不可能な状態であるため、ユーザの受信環境が符号ＧＳ１２１、ＧＳ１２２、ＧＳ１２３のどの領域の受信設備を備えた環境でもないことを示している（どの領域も非アクティブ表示）。
【００６２】
また、符号ＧＳ１３に示す領域には、ユーザの受信設備の対応状況に関する情報として、「お客様の環境は新４Ｋ８Ｋ衛星放送及び既存ＢＳ／ＣＳデジタル放送の両方を視聴するのに適しておりません。」、「衛星放送用パラボラアンテナ及び衛星放送用配線ケーブルの接続を確認して下さい。」などが表示される。
【００６３】
次に、図８を参照して、受信装置１００の制御部１８０が受信設備の対応状況を表示させる表示処理の動作について説明する。図８は、本実施形態に係る受信設備の対応状況表示処理の一例を示すフローチャートである。この処理は、図３のステップＳ８０の処理の中で行われる処理である。
【００６４】
（ステップＳ８０１）提示部１８２は、取得部１８１が取得した既存ＢＳ／ＣＳデジタル放送の受信状態に関する情報に基づいて、ＢＳ左旋及びＣＳ左旋のチャンネルが受信可能（選局可能）な状態であるか否かを判定する。例えば、提示部１８２は、ＢＳ左旋及びＣＳ左旋のチャンネル情報を取得できたか否かに基づいて、ＢＳ左旋のいずれか一つのチャンネル及びＣＳ左旋のいずれか二つのチャンネルが受信可能（選局可能）な状態であるか否かを判定する。そして、提示部１８２は、ＢＳ左旋のいずれか一つのチャンネル及びＣＳ左旋のいずれか二つのチャンネルが受信不可能（選局不可能）な状態であると判定した場合（ＮＯ）、ステップＳ８０３の処理に進む。一方、提示部１８２は、ＢＳ左旋のいずれか一つのチャンネル及びＣＳ左旋のいずれか二つのチャンネルが受信可能（選局可能）な状態であると判定した場合（ＹＥＳ）、既存ＢＳ／ＣＳデジタル放送の受信設備は対応している（視聴に適している）状態であると判定し、ステップＳ８０５の処理に進む。
【００６５】
（ステップＳ８０３）既存ＢＳ／ＣＳデジタル放送が受信不可能（選局不可能）な状態（新４Ｋ８Ｋ衛星放送も受信不可能（選局不可能）な状態）であるため、ユーザの受信環境に何らかの不備や異常があると推定される。そこで、提示部１８２は、ユーザの受信設備の対応状況に関する情報として、例えば「お客様の環境は新４Ｋ８Ｋ衛星放送及び既存ＢＳ／ＣＳデジタル放送の両方を視聴するのに適していません。衛星放送用パラボラアンテナ及び衛星放送用配線ケーブルの接続を確認して下さい。」などを表示部１４０に表示させる（図７参照）。
【００６６】
（ステップＳ８０５）既存ＢＳ／ＣＳデジタル放送のチャンネルが受信可能（選局可能）な状態であるため、新４Ｋ８Ｋ衛星放送の受信設備の対応状況表示処理を実行する。この対応状況表示処理について、具体的には図９を参照して説明する。
【００６７】
図９は、新４Ｋ８Ｋ衛星放送の受信設備の対応状況表示処理の一例を示すフローチャートである。
（ステップＳ８１１）提示部１８２は、取得部１８１が取得した放送波の種類ごとの受信状態に関する情報に基づいて、ＢＳ左旋またはＣＳ左旋のチャンネルが受信可能（選局可能）な状態であるか否かを判定する。例えば、提示部１８２は、ＢＳ左旋またはＣＳ左旋のチャンネル情報を取得できたか否かに基づいて、ＢＳ左旋またはＣＳ左旋のチャンネルが受信可能（選局可能）な状態であるか否かを判定する。そして、提示部１８２は、ＢＳ左旋及びＣＳ左旋のチャンネルが受信不可能（選局不可能）な状態であると判定した場合（ＮＯ）、ステップＳ８２１の処理に進む。一方、提示部１８２は、ＢＳ左旋またはＣＳ左旋のチャンネルが受信可能（選局可能）な状態であると判定した場合（ＹＥＳ）、ステップＳ８１３の処理に進む。
【００６８】
（ステップＳ８１３）ＢＳ左旋またはＣＳ左旋のチャンネルが受信可能（選局可能）な状態であるため、パラボラアンテナ１０が右旋円偏波だけでなく左旋円偏波にも対応している。そこで、提示部１８２は、例えば「衛星放送用パラボラアンテナの変更は必要ありません。」などを表示部１４０に表示させる（図４、５参照）。そして、ステップＳ８１５の処理に進む。
【００６９】
（ステップＳ８１５）提示部１８２は、ＢＳ左旋またはＣＳ左旋のうちＣＳ左旋のチャンネルが受信可能（選局可能）な状態であるか否かを判定する。提示部１８２は、ＣＳ左旋のチャンネルが受信可能（選局可能）な状態であると判定した場合（ＹＥＳ）、ステップＳ８１７の処理に進む。一方、提示部１８２は、ＣＳ左旋のチャンネルが受信不可能（選局不可能）な状態であると判定した場合（ＮＯ）、ステップＳ８１９の処理に進む。
【００７０】
（ステップＳ８１７）ＣＳ左旋のチャンネルが受信可能（選局可能）な状態である場合、ＢＳ左旋及びＣＳ左旋の両方が受信可能（選局可能）な状態であり、パラボラアンテナ１０だけでなく配線設備２０も新４Ｋ８Ｋ衛星放送の受信に対応している。そこで、提示部１８２は、例えば「お客様の環境は新４Ｋ８Ｋ衛星放送を視聴するのに適しています。衛星放送用配線ケーブルの変更は必要ありません。」などを表示部１４０に表示させる（図４参照）。
【００７１】
（ステップＳ８１９）ＣＳ左旋のチャンネルが受信不可能（選局不可能）な状態である場合、新４Ｋ８Ｋ衛星放送はＢＳデジタル放送のみ受信可能（選局可能）な状態であり、パラボラアンテナ１０は新４Ｋ８Ｋ衛星放送の受信に対応しているが、配線設備２０が新４Ｋ８Ｋ衛星放送に対応していないと推定される。そこで、提示部１８２は、例えば「お客様の環境は新４Ｋ８Ｋ衛星放送のＢＳ放送までを視聴するのに適しています。新４Ｋ８Ｋ衛星放送のＣＳ放送を視聴するには、衛星放送用配線ケーブルを変更する必要があります。」を表示部１４０に表示させる（図５参照）。
【００７２】
（ステップＳ８２１）ＢＳ左旋及びＣＳ左旋のチャンネルが受信不可能（選局不可能）な状態である場合、パラボラアンテナ１０が左旋円偏波に対応していないと推定される。そこで、提示部１８２は、例えば「新４Ｋ８Ｋ衛星放送を視聴するには衛星放送用パラボラアンテナを変更する必要があります。」などを表示部１４０に表示させる（図６参照）。続けて、ステップＳ２３の処理に進む。
【００７３】
（ステップＳ８２３）パラボラアンテナ１０が左旋円偏波に対応していない場合、配線設備２０も新４Ｋ８Ｋ衛星放送に対応していない可能性が高い。そこで、提示部１８２は、例えば「お客様の環境は新４Ｋ８Ｋ衛星放送の視聴に適しておりません。新４Ｋ８Ｋ衛星放送を視聴するには、衛星放送用配線ケーブルを変更する必要があります。」なども表示部１４０に表示させる（図６参照）。
【００７４】
以上説明したように、本実施形態に係る受信装置１００は、放送波の種類ごとの受信状態に関する情報を取得し、取得した放送波の種類ごとの受信状態に関する情報と、放送波の種類ごとの受信に必要な受信設備に関する情報とに基づいて、接続されている受信設備の対応状況に関する情報を提示する。
【００７５】
これにより、受信装置１００は、放送波の種類ごとに受信設備の対応状況を提示するため、設置されている受信設備による放送波の受信環境を分かりやすく提示することができる。よって、ユーザは自宅などの受信設備の対応状況を容易に確認することができる。なお、対応状況とは、放送波を受信することができるか否かの対応状況であり、例えば、新４Ｋ８Ｋ衛星放送の受信の対応状況である。
【００７６】
例えば、受信装置１００は、受信設備の対応状況に関する情報として、受信設備が放送波の受信に対応しているか否かを示す情報を提示してもよい。これにより、受信装置１００は、放送波の種類ごとに受信設備が対応しているか否かを分かりやすく提示することができる。例えば、受信装置１００は、受信設備が新４Ｋ８Ｋ衛星放送のＢＳ／ＣＳデジタル放送の受信に対応しているか否か、または、受信設備が新４Ｋ８Ｋ衛星放送のＣＳデジタル放送の受信に対応しているか否かなどを分かりやすく提示することができる。
【００７７】
また、受信装置１００は、受信設備が対応していない放送波の種類がある場合、当該放送波を受信可能にするための情報を、受信設備の対応状況に関する情報として提示してもよい。これにより、受信装置１００は、受信できない放送波の種類がある場合に、何をすれば受信できるようになるかの受信環境の改善方法について、ユーザが容易に分かるように提示できる。例えば、受信装置１００は、新４Ｋ８Ｋ衛星放送のＢＳ／ＣＳデジタル放送が受信不可能な場合や、新４Ｋ８Ｋ衛星放送のＣＳデジタル放送が受信不可能な場合、どの設備を変更すれば受信できるようになるかをユーザに提示することができる。
【００７８】
ここで、受信装置１００が提示する受信設備の対応状況には、例えば、パラボラアンテナ１０の対応状況またはパラボラアンテナ１０から受信装置１００までの配線設備２０の対応状況が含まれる。これにより、受信装置１００は、放送波の種類ごとにパラボラアンテナ１０または配線設備２０の対応状況を提示するため、パラボラアンテナ１０または配線設備２０による放送波の受信環境を分かりやすく提示することができる。また、受信装置１００は、放送波の受信に、パラボラアンテナ１０と配線設備２０とが対応しているか否か、対応していない場合にはいずれを変更すればよいのかなどについて、ユーザが容易に分かるように提示できる。
【００７９】
また、放送波の種類には、例えば、衛星放送における衛星の種類（例えば、ＢＳ／ＣＳ）、放送波の偏波の種類（例えば、右旋円偏波／左旋円偏波）、または放送波の周波数帯域の種類が含まれる。これにより、受信装置１００は、衛星の種類、放送波の偏波の種類、または放送波の周波数帯域の種類ごとに、受信設備の対応状況を提示することができる。
【００８０】
受信装置１００は、放送波の種類ごとの受信状態に関する情報として、放送波に含まれるチャンネル情報を取得する。これにより、受信装置１００は、放送波からチャンネル情報を取得したチャンネルを受信可能（選局可能）と判断し、放送波からチャンネル情報を取得できなかったチャンネルを受信不可能（選局不可能）と判断することができる。なお、放送波の種類ごとに、全てのチャンネルの放送波からチャンネル情報を取得して受信可能（選局可能）か否かを判定してもよいし、一部のチャンネルの放送波からチャンネル情報を取得して受信可能（選局可能）か否かを判定してもよい。
【００８１】
なお、取得部１８１が、放送波の種類ごとの受信状態に関する情報として、放送波から取得されたチャンネル情報を取得する例を説明したが、チャンネル情報に代えて、或いは加えて放送波の種類ごとの受信強度（受信信号のレベル）を示す情報を取得してもよい。例えば、取得部１８１は、放送波の種類ごとの受信状態に関する情報として、放送波に含まれるチャンネル情報に代えて、または加えて、チャンネル情報を取得できた放送波の受信強度を取得してもよい。例えば、受信装置１００は、放送波に含まれるチャンネル情報を取得できるか否かに代えて、受信強度が一定値以上の場合に受信可能な状態と判定し、受信強度が一定値未満の場合に受信不可能な状態と判定してもよい。また、受信装置１００は、放送波に含まれるチャンネル情報を取得できたとしても受信強度が所定の値未満で弱い場合には、「ブースターを追加してください」など、受信環境の改善提案を示す情報を提示してもよい。
【００８２】
［第２の実施形態］
次に、本発明の第２の実施形態について説明する。
ある放送波の種類について、基本的な受信設備の仕様が対応していたとしても、受信強度が十分でない場合には、その放送波の種類に含まれるチャンネルの中の一部のチャンネルが受信不可能（選局不可能）な場合もある。このような場合、受信装置１００は、ブースターの追加等が必要である旨を示す情報を提示してもよい。
【００８３】
例えば、提示部１８２は、放送波の種類ごとに、少なくとも一部のチャンネルのチャンネル情報を取得できた種類の放送波を受信可能な状態と判定し、受信可能な状態と判定した放送波の種類において、全てのチャンネルのチャンネル情報を取得できた場合と、一部のチャンネルのチャンネル情報を取得できなかった場合とで提示内容を異ならせる。例えば、提示部１８２は、受信可能な状態と判定した放送波の種類において、一部のチャンネルのチャンネル情報を取得できなかった場合には、当該一部のチャンネルの放送波を受信可能にするための情報（例えばブースターの追加等が必要である旨を示す情報）を、受信設備の対応状況に関する情報として表示部１４０に表示させてもよい（例えば、図４〜６の符号ＧＳ１３の領域に追加して表示させてもよい）。
【００８４】
図１０は、本実施形態に係る新４Ｋ８Ｋ衛星放送の受信設備の対応状況表示処理の一例を示すフローチャートである。この図において、ステップＳ８１１〜Ｓ８２３の処理は、図９のステップＳ８１１〜Ｓ８２３の処理と同様であるため、その説明を省略する。
【００８５】
（ステップＳ８３１）ＣＳ左旋のチャンネルが受信可能（選局可能）な状態（ＢＳ左旋及びＣＳ左旋の両方が受信可能（選局可能）な状態）である場合、ステップＳ８１７の処理の次に、提示部１８２は、ＢＳ右旋、ＣＳ右旋、ＢＳ左旋、及びＣＳ左旋で放送されている全てのチャンネルが受信可能（選局可能）な状態であるか否かを判定する。提示部１８２は、ＢＳ右旋、ＣＳ右旋、ＢＳ左旋、及びＣＳ左旋全てのチャンネルが受信可能（選局可能）な状態であると判定した場合（ＹＥＳ）、そのまま処理を終了する。一方、提示部１８２は、ＢＳ右旋、ＣＳ右旋、ＢＳ左旋、及びＣＳ左旋で放送されている全てのチャンネルの中に受信不可能（選局不可能）なチャンネルがあると判定した場合（ＮＯ）、ステップＳ８３３の処理に進む。
【００８６】
（ステップＳ８３３）提示部１８２は、例えば「受信可能なチャンネルに信号の弱いチャンネルが含まれています。新４Ｋ８Ｋ衛星放送対応ブースターなどを追加する事をお勧めします。」などを表示部１４０にさらに表示させる。
【００８７】
（ステップＳ８３５）ＣＳ左旋のチャンネルが受信不可能（選局不可能）な状態（ＢＳ左旋までが受信可能（選局可能）な状態）である場合、ステップＳ８１９の処理の次に、提示部１８２は、ＢＳ右旋、ＣＳ右旋、及びＢＳ左旋で放送されている全てのチャンネルが受信可能（選局可能）な状態であるか否かを判定する。提示部１８２は、ＢＳ右旋、ＣＳ右旋、及びＢＳ左旋で放送されている全てのチャンネルが受信可能（選局可能）な状態であると判定した場合（ＹＥＳ）、そのまま処理を終了する。一方、提示部１８２は、ＢＳ右旋、ＣＳ右旋、及びＢＳ左旋で放送されている全てのチャンネルの中に受信不可能（選局不可能）なチャンネルがあると判定した場合（ＮＯ）、ステップＳ８３７の処理に進む。
【００８８】
（ステップＳ８３７）提示部１８２は、例えば「受信可能なチャンネルに信号の弱いチャンネルが含まれています。新４Ｋ８Ｋ衛星放送対応ブースターなどを追加する事をお勧めします。」などを表示部１４０にさらに表示させる。
【００８９】
（ステップＳ８３９）ＢＳ左旋及びＣＳ左旋のチャンネルが受信不可能（選局不可能）な状態である場合、ステップＳ８２１の処理の次に、提示部１８２は、ＢＳ右旋及びＣＳ右旋で放送されている全てのチャンネルが受信可能（選局可能）な状態であるか否かを判定する。提示部１８２は、ＢＳ右旋及びＣＳ右旋で放送されている全てのチャンネルが受信可能（選局可能）な状態であると判定した場合（ＹＥＳ）、そのまま処理を終了する。一方、提示部１８２は、ＢＳ右旋及びＣＳ右旋で放送されている全てのチャンネルの中に受信不可能（選局不可能）なチャンネルがあると判定した場合（ＮＯ）、ステップＳ８４１の処理に進む。
【００９０】
（ステップＳ８４１）提示部１８２は、例えば「受信可能なチャンネルに信号の弱いチャンネルが含まれています。新４Ｋ８Ｋ衛星放送対応ブースターなどを追加する事をお勧めします。」などを表示部１４０にさらに表示させる。
【００９１】
以上説明したように、本実施形態に係る受信装置１００は、放送波の種類ごとに、少なくとも一部のチャンネルのチャンネル情報を取得できた種類の放送波を受信可能な状態と判定し、受信可能な状態と判定した放送波の種類において、全てのチャンネルのチャンネル情報を取得できた場合と、一部のチャンネルのチャンネル情報を取得できなかった場合とで提示内容を異ならせる。例えば、受信装置１００は、受信可能な状態と判定した放送波の種類において、一部のチャンネルのチャンネル情報を取得できなかった場合には、当該一部のチャンネルの放送波を受信可能にするための情報を、受信設備の対応状況に関する情報として提示する。
【００９２】
これにより、受信装置１００は、受信設備が対応している放送波の種類の中に受信できないチャンネルがある場合、例えば、ブースターを追加する必要があるなど、ユーザに対処方法を提示することができる。よって、受信装置１００は、設置されている受信設備による放送波の受信環境を分かりやすく提示することができる。
【００９３】
［第３の実施形態］
次に、本発明の第３の実施形態について説明する。
本実施形態では、受信設備の対応状況に関する情報の表示態様の別の例を説明する。例えば、図４〜図７に示す例では、符号ＧＳ１３に示す領域に、文字情報を用いて受信設備の対応状況に関する情報が表示されているが、受信設備の対応状況が絵やイラストなどの図解を用いた表示態様で表示されてもよい。
【００９４】
図１１〜図１６は、本実施形態に係る受信設備の対応状況に関する情報の表示例を示す図である。この図１１〜図１６を参照して、受信設備の対応状況に関する情報を図解を用いて示した表示例について説明する。
【００９５】
図１１は、図４の符号ＧＳ１３に示す領域に表示されている情報を図解を用いて示した表示例を示す図である。図示する例では、ユーザの受信設備の対応状況に関する文字情報として、「お客様の環境は新４Ｋ８Ｋ衛星放送の視聴に適しています。」が表示されている。また、パラボラアンテナ及び配線設備（ブースター、分配器、配線ケーブル）を有する一軒家の受信設備のモデル図が表示されており、パラボラアンテナ１０の変更が必要ないことを示す文字情報（「衛星放送用パラボラアンテナの変更は必要ありません。」）、及び配線設備２０の変更が必要ないことを示す文字情報（「衛星放送用配線ケーブル（分波器など）の変更は必要ありません。」）が、それぞれモデル図の中の該当する箇所と対応付けられて表示されている。なお、この表示例は、図９のステップＳ８１５でＹＥＳの場合、または図１０のステップＳ８３１でＹＥＳの場合に表示される受信設備の対応状況の表示例に相当する。
【００９６】
図１２は、図１１の表示例に受信強度に基づく情報を加えた表示例を示す図である。この表示例は、図１０のステップＳ８３１でＮＯの場合の受信設備の対応状況の表示例である。図示する例では、受信可能な放送波の種類の中に受信不可能なチャンネル（受信強度の弱いチャンネル）が含まれているため、図１１の表示例に加えて、「受信可能なチャンネルに信号の弱いチャンネルが含まれています。新４Ｋ８Ｋ衛星放送対応ブースターなどを追加する事をお勧めします。」などの文字情報と受信設備のモデル図の中の該当する箇所（ブースター）とが対応付けられて表示されている。
【００９７】
図１３は、図５の符号ＧＳ１３に示す領域に表示されている情報を図解を用いて示した表示例を示す図である。図示する例では、ユーザの受信設備の対応状況に関する文字情報として、「お客様の環境は新４Ｋ８Ｋ衛星放送のＢＳ放送までの視聴に適しています。」が表示されている。また、パラボラアンテナ１０の変更が必要ないことを示す文字情報（「衛星放送用パラボラアンテナの変更は必要ありません。」）、及び配線設備２０の変更が必要であることを示す文字情報（「新４Ｋ８Ｋ衛星放送のＣＳ放送を視聴するには、衛星放送用配線ケーブル（分波器など）を変更する必要があります。」）が、それぞれ受信設備のモデル図の中の該当する箇所と対応付けられて表示されている。なお、この表示例は、図９のステップＳ８１５でＮＯの場合、または図１０のステップＳ８３５でＹＥＳの場合に表示される受信設備の対応状況の表示例に相当する。
【００９８】
図１４は、図１３の表示例に受信強度に基づく情報を加えた表示例を示す図である。この表示例は、図１０のステップＳ８３５でＮＯの場合の受信設備の対応状況の表示例である。図示する例では、受信可能な放送波の種類の中に受信不可能なチャンネル（受信強度の弱いチャンネル）が含まれているため、図１３の表示例に加えて、「受信可能なチャンネルに信号の弱いチャンネルが含まれています。新４Ｋ８Ｋ衛星放送対応ブースターなどを追加する事をお勧めします。」などの文字情報と受信設備のモデル図の中の該当する箇所（ブースター）とが対応付けられて表示されている。
【００９９】
図１５は、図６の符号ＧＳ１３に示す領域に表示されている情報を図解を用いて示した表示例を示す図である。図示する例では、ユーザの受信設備の対応状況に関する文字情報として、「お客様の環境は新４Ｋ８Ｋ衛星放送の視聴に適しておりません。」が表示されている。また、パラボラアンテナ１０の変更が必要であることを示す文字情報（「新４Ｋ８Ｋ衛星放送を視聴するには衛星放送用パラボラアンテナを変更する必要があります。」）、及び配線設備２０の変更が必要であることを示す文字情報（「新４Ｋ８Ｋ衛星放送を視聴するには、衛星放送用配線ケーブル（分波器など）を変更する必要があります。」）が、それぞれ受信設備のモデル図の中の該当する箇所と対応付けられて表示されている。なお、この表示例は、図９のステップＳ８１１でＮＯの場合、または図１０のステップＳ８３９でＹＥＳの場合に表示される受信設備の対応状況の表示例に相当する。
【０１００】
図１６は、図１５の表示例に受信強度に基づく情報を加えた表示例を示す図である。この表示例は、図１０のステップＳ８３９でＮＯの場合の受信設備の対応状況の表示例である。図示する例では、受信可能な放送波の種類の中に受信不可能なチャンネル（受信強度の弱いチャンネル）が含まれているため、図１５の表示例に加えて、「受信可能なチャンネルに信号の弱いチャンネルが含まれています。新４Ｋ８Ｋ衛星放送対応ブースターなどを追加する事をお勧めします。」などの文字情報と受信設備のモデル図の中の該当する箇所（ブースター）とが対応付けられて表示されている。
【０１０１】
以上説明したように、本実施形態に係る受信装置１００は、受信設備の対応状況に関する情報を図解を用いて表示するため、設置されている受信設備による放送波の受信環境を分かりやすく提示することができる。
【０１０２】
以上、図面を参照してこの発明の一実施形態について詳しく説明してきたが、具体的な構成は上述のものに限られることはなく、この発明の要旨を逸脱しない範囲内において様々な設計変更等をすることが可能である。
【０１０３】
例えば、上記実施形態で図４〜図７の表示例、図９及び図１０のフローチャート、及び図１１〜図１６の表示例で説明した受信設備の対応状況に関する情報の文言は一例であって、これに限定されるものではない。また、図１１〜図１６の表示例に示す受信設備のモデル図は一例であって、受信設備を示すモデル図であれば、どのような図であってもよい。また、一軒家の受信設備に限定されるものではなく、集合住宅や店舗、工場、オフィスビル等、どのような施設の受信設備であってもよい。また、受信装置１００は、受信設備を示すモデル図を、一軒家、集合住宅、店舗、工場、オフィスビル等、のモデル図の中から選択できるようにしてもよい。また、受信装置１００は、パラボラアンテナを用いる場合と有線ケーブルを用いる場合とで異なるモデル図を選択できるようにしてもよい。
【０１０４】
なお、上述した実施形態における受信装置１００の一部の機能をコンピュータで実現するようにしても良い。その場合、この機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、受信装置１００に内蔵されたコンピュータシステムであって、ＯＳや周辺機器等のハードウェアを含むものとする。また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。また上記プログラムは、前述した機能の一部を実現するためのものであっても良く、さらに前述した機能をコンピュータシステムにすでに記録されているプログラムとの組み合わせで実現できるものであっても良い。
【０１０５】
また、受信装置１００の一部又は全部を、ＬＳＩ（Ｌａｒｇｅ  Ｓｃａｌｅ  Ｉｎｔｅｇｒａｔｉｏｎ）等の集積回路として実現してもよい。また、本実施形態の受信装置１００内の各構成要素は個別にプロセッサ化してもよいし、一部、または全部を集積してプロセッサ化してもよい。また、集積回路化の手法はＬＳＩに限らず専用回路、または汎用プロセッサで実現してもよい。また、半導体技術の進歩によりＬＳＩに代替する集積回路化の技術が出現した場合、当該技術による集積回路を用いてもよい。
【０１０６】
また、上記実施形態では、受信装置１００が表示部１４０を備えたテレビの構成例を説明したが、受信装置１００は、表示部１４０を備えていない構成としてもよい。例えば、受信装置１００は、外部の表示装置（テレビ、モニターなど）に映像信号を出力するテレビチューナ内蔵の受信装置であってもよく、例えば、テレビ放送の録画及び再生が可能なハードディスクレコーダ、Ｂｌｕ−ｒａｙ（登録商標）レコーダやＤＶＤレコーダなど、又はそれらを組み合わせた受信装置であってもよい。
【符号の説明】
【０１０７】
１  受信システム、１０  パラボラアンテナ、２０  配線設備、２１  ブースター、２２  分配器、２３  配線ケーブル、１００  受信装置、１１０  チューナ部、１１１  チューナ、１１２  デモジュレータ、１２０  信号処理部、１２１  ＴＳデマルチプレクサ、１２２  ＴＬＶデマルチプレクサ，１２３  ＭＭＴデマルチプレクサ、１２４  ＡＣＡＳデスクランブル、１２５  付加情報処理部、１２６  ＡＶデコーダ、１２７  映像処理部、１２８  オーディオ処理部、１３０  ＢＣＡＳ、１３１  ＡＣＡＳ、１４０  表示部、１５０  スピーカ、１６０  記憶部、１７０  リモコン受光部、１８０  制御部、１８１  取得部、１８２  提示部
【図１】
2020025187.tif 000003
【図２】
2020025187.tif 000004
【図３】
2020025187.tif 000005
【図４】
2020025187.tif 000006
【図５】
2020025187.tif 000007
【図６】
2020025187.tif 000008
【図７】
2020025187.tif 000009
【図８】
2020025187.tif 000010
【図９】
2020025187.tif 000011
【図１０】
2020025187.tif 000012
【図１１】
2020025187.tif 000013
【図１２】
2020025187.tif 000014
【図１３】
2020025187.tif 000015
【図１４】
2020025187.tif 000016
【図１５】
2020025187.tif 000017
【図１６】
2020025187.tif 000018